(57)【要約】【課題】トラップ部の抗菌性を容易に維持することが可能な排水装置を提供することを課題とする。【解決手段】トラップ部２０に形成された洗浄口２３に洗浄口蓋３０を取り付け、トラップ部２０に生じる封水Ｓ１に抗菌性の物質を出す抗菌部３１を洗浄口蓋３０の内面３０ａに設ける。また、配管１０に形成された洗浄口２６に洗浄口蓋４０を取り付け、トラップ部２０に生じる封水Ｓ１に抗菌性の物質を出す抗菌部材４１を洗浄口蓋４０の内面４０ａに取り付け、洗浄口２６から外した洗浄口蓋４０を持って抗菌部材４１を洗浄口２６から引き出すように構成する。【選択図】図２
2012046895.tif 000002
【特許請求の範囲】
【請求項１】
排水のトラップ部を有し排水口からの排水を通す配管を備える排水装置であって、
前記トラップ部に形成された洗浄口に洗浄口蓋が取り付けられ、
前記トラップ部に生じる封水に抗菌性の物質を出す抗菌部が前記洗浄口蓋の内面に設けられていることを特徴とする排水装置。
【請求項２】
排水のトラップ部を有し排水口からの排水を通す配管を備える排水装置であって、
前記配管に形成された洗浄口に洗浄口蓋が取り付けられ、
前記トラップ部に生じる封水に抗菌性の物質を出す抗菌部材が前記洗浄口蓋の内面に取り付けられ、
前記洗浄口から外した前記洗浄口蓋を持って前記抗菌部材を前記洗浄口から引き出すように構成されていることを特徴とする排水装置。
【発明の詳細な説明】
【技術分野】
【０００１】
本発明は、排水のトラップ部を有し排水口からの排水を通す配管を備える排水装置に関する。
【背景技術】
【０００２】
システムキッチンや洗面化粧台等の排水装置は、シンクや洗面ボウル等の排水口からの排水を流下させる配管が設けられている。この配管は、排水の一部を封水とするためＵ字状等とされたトラップ部が設けられている（例えば、特許文献１参照）。この封水があるため、微生物の作用によってできる粘状物質であるヌメリがトラップ部に付着する。
また、配管の内部を洗浄するため、配管に洗浄口を形成し、この洗浄口に洗浄口蓋を取り付けることがある。
【先行技術文献】
【特許文献】
【０００３】
【特許文献１】特開２００５−１８８０６９号公報
【発明の概要】
【発明が解決しようとする課題】
【０００４】
しかし、一般家庭のユーザは、曲がった形状のトラップ部の内部を清掃する作業を面倒と感じてしまう。トラップ部の内部を清掃しないと、トラップ部の内壁面に付着するヌメリが増えてしまうことになる。
【０００５】
以上を鑑み、本発明は、トラップ部の抗菌性を容易に維持することが可能な排水装置を提供することを目的としている。
【課題を解決するための手段】
【０００６】
上記目的を達成するため、本発明は、排水のトラップ部を有し排水口からの排水を通す配管を備える排水装置であって、前記トラップ部に形成された洗浄口に洗浄口蓋が取り付けられ、前記トラップ部に生じる封水に抗菌性の物質を出す抗菌部が前記洗浄口蓋の内面に設けられていることを特徴とする。
【０００７】
すなわち、トラップ部に形成された洗浄口に取り付けられた洗浄口蓋の内面にある抗菌部から封水に抗菌性の物質が出され、トラップ部へのヌメリの発生が抑制される。従って、洗浄口に洗浄口蓋を取り付けておくだけで、トラップ部の抗菌性が維持される。
【０００８】
また、本発明は、排水のトラップ部を有し排水口からの排水を通す配管を備える排水装置であって、前記配管に形成された洗浄口に洗浄口蓋が取り付けられ、前記トラップ部に生じる封水に抗菌性の物質を出す抗菌部材が前記洗浄口蓋の内面に取り付けられ、前記洗浄口から外した前記洗浄口蓋を持って前記抗菌部材を前記洗浄口から引き出すように構成されていることを特徴とする。
【０００９】
すなわち、洗浄口蓋の内面に取り付けられた抗菌部材から封水に抗菌性の物質が出され、トラップ部へのヌメリの発生が抑制される。従って、洗浄口に洗浄口蓋を取り付けておくだけで、トラップ部の抗菌性が維持される。
また、抗菌部材が寿命となっても、洗浄口から外した洗浄口蓋を持って抗菌部材を洗浄口から引き出すことができるので、抗菌部材の交換が容易である。
【００１０】
各請求項に係る発明において、上記排水装置には、システムキッチンのシンクの排水口に設けられる排水装置、洗面化粧台の洗面ボウルの排水口に設けられる排水装置、浴室用の排水装置、飲食店に用いられる排水装置、等が含まれる。
上記抗菌性は、菌の増殖を抑制する性質をいう。抗菌性の物質は、抗菌性を有する物質をいい、銀イオン、銅イオン、亜鉛イオン、ニッケルイオン、等が含まれる。上記抗菌部や上記抗菌部材は、封水に抗菌性の物質を出すものであればよく、銀イオン等を溶出する種々の部材の他、特開平１１−３４３５９２号公報や特開２０００−１４３４２２号公報に記載されるＮｉ−Ｐ系合金を含む材料等が含まれる。
上記抗菌部は、洗浄口蓋内面に抗菌性物質をめっきした部位など洗浄口蓋から分離不能な部位でもよいし、洗浄口蓋内面にパッキン等で固定した板状の抗菌性物質など洗浄口蓋から分離可能な部位でもよい。
上記洗浄口は、高圧洗浄機の噴射ノズルといった清掃具を挿入するための開口、トラップ部の封水を抜くための開口、等が含まれる。
上記配管に形成された洗浄口には、トラップ部に形成された洗浄口が含まれる。上記洗浄口蓋の内面に取り付けられた抗菌部材は、封水に挿入されて抗菌性の物質を出してもよい。
【００１１】
なお、上記排水装置を有するシステムキッチンや洗面化粧台や浴室等の発明も、上述した作用、効果を奏する。
【発明の効果】
【００１２】
本発明によれば、トラップ部の抗菌性を容易に維持することが可能な排水装置を提供することができる。
【図面の簡単な説明】
【００１３】
【図１】本発明の一実施形態に係る排水装置１をシンク１１０とともに一部破断して示す側面図である。
【図２】図１に示す排水装置１の要部を示す垂直断面図である。
【図３】抗菌部材の各種変形例を示す垂直断面図である。
【図４】上側の洗浄口蓋４０に抗菌部材４１を設けた変形例に係る排水装置１の要部を示す垂直断面図である。
【図５】変形例に係る排水装置１の要部を示す垂直断面図である。
【発明を実施するための形態】
【００１４】
以下、図面を参照しながら発明を実施するための形態を例示する。むろん、本発明は本明細書及び図面に示す実施形態に限定されるものではなく、実施形態に示す特徴の全てが発明の解決手段に必須となるとは限らない。
【００１５】
（１）排水装置の構成：
図１は、システムキッチンに設けられる排水装置１をシンク１１０とともに一部破断して示す側面図である。シンク１１０は、凹状に形成され、システムキッチンのカウンタに組み込まれている。シンク１１０の底部には、排水を流出させるための排水口１１２が形成されている。
排水口１１２には、凹状のストレーナ収容部１２０が取り付けられている。ストレーナ収容部１２０は、内部にストレーナ１２４が着脱可能に収容され、上部となる開口部１２０ａに対して排水口蓋１２６が着脱可能に取り付けられ、側面部１２０ｂの下部となる排出部１２１に対して目皿１３０が着脱可能に取り付けられている。ストレーナ１２４は、排水に含まれる細かい異物を除去するために設けられる。排水口蓋１２６は、排水を通過させながらストレーナ１２４を隠すために設けられる。目皿１３０は、ストレーナ収容部１２０からストレーナ１２４を外したときに大きな異物が排出部１２１から流出しないように設けられる。
【００１６】
ストレーナ収容部１２０の側面部下部から水平方向へ延出した排出部１２１には、排水口１１２からの排水を通すための配管１０が接続されている。図１，２に示す配管１０は、トラップ前配管１２とトラップ形成配管１４とトラップ後配管１６とで構成されている。上記排出部１２１に接続されるトラップ前配管１２の配管流入部１３は、配管１０全体の排水流入部である。トラップ前配管１２の排水流出部に接続されるトラップ形成配管１４は、排水のトラップ部２０を有している。トラップ形成配管１４の排水流出部に接続されるトラップ後配管１６は、排水をシステムキッチン外へ流出させるための配管である。
なお、配管は、全体としてトラップ部を有していればよい。このため、トラップ前配管やトラップ形成配管やトラップ後配管が複数の配管で構成されたり、トラップ部を有する配管が直接排出部１２１に接続されたりしてもよい。
【００１７】
図１，２に示すトラップ形成配管１４は、Ｓ字状に曲がったＳトラップを構成する部材であり、大まかには前段のＵ字状部２１と後段の逆Ｕ字状部２４を有している。Ｕ字状部２１に封水Ｓ１が生じるため、トラップ形成配管１４に封水のトラップ部２０が設けられていることになる。
Ｕ字状部２１には、排水の主通路２１ａの下部から下方へ若干延出して下側洗浄口（洗浄口）２３に至る下側通路２１ｂが形成されている。下側洗浄口２３の外周部は、雄ねじが形成され、雌ねじ３０ｂを有する洗浄口蓋３０を螺合することができる。従って、トラップ部２０に形成された下側洗浄口２３に洗浄口蓋３０が着脱可能に取り付けられることになる。
【００１８】
逆Ｕ字状部２４には、排水の主通路２４ａの上部近傍から上方へ延出して上側洗浄口（洗浄口）２６に至る上側通路２４ｂが形成されている。上側洗浄口２６の外周部は、雄ねじが形成され、雌ねじ４０ｂを有する洗浄口蓋４０を螺合することができる。従って、トラップ形成配管１４に形成された上側洗浄口２６に洗浄口蓋４０が着脱可能に取り付けられることになる。
なお、トラップ部を形成する配管は、上述したＳトラップ以外にも、いわゆるＰトラップや袋トラップ等でもよい。
【００１９】
洗浄口蓋３０の内面３０ａには、トラップ部２０に生じる封水Ｓ１に抗菌性の物質を出す抗菌部材（抗菌部）３１が設けられている。図２に分解して示したように、抗菌部材３１は、洗浄口蓋３０に挿入可能な円盤状の板状部材とされている。洗浄口蓋３０の内側に抗菌部材３１を入れ、さらに環状のパッキン３８を入れて、洗浄口蓋３０を下側洗浄口２３に螺合させると、抗菌部材３１が洗浄口蓋３０の内面部に固定される。ここで、抗菌部材３１の直径が洗浄口蓋３０の内径以下であれば、抗菌部材３１を洗浄口蓋３０に入れることができる。抗菌部材３１の直径が環状のパッキン３８の内径よりも大きければ、抗菌部材３１が洗浄口蓋３０の内面部に保持される。環状のパッキン３８の外径が洗浄口蓋３０の内径以下、かつ、下側洗浄口２３の内径よりも大きければ、パッキン３８を洗浄口蓋３０に入れることができ、かつ、パッキン３８を洗浄口蓋３０のシールとして機能させることができる。むろん、弾性を有するパッキン３８の外径が洗浄口蓋３０の内径よりも若干大きくても、パッキン３８を洗浄口蓋３０に入れることができる。この場合、洗浄口蓋３０内で抗菌部材３１がパッキン３８により固定される。
【００２０】
図１，２に示す矢印の方向に排水が流れると、トラップ部２０に封水Ｓ１が生じ、抗菌部材３１が封水Ｓ１に接する。従って、抗菌部材３１から抗菌性の物質が封水Ｓ１内に溶出する。
抗菌部材３１は、封水Ｓ１中で抗菌性の物質を溶出する抗菌材料のみで形成されてもよいが、ステンレスといった金属材料等に抗菌材料をめっきして形成されてもよい。封水中で抗菌性の物質を溶出する抗菌材料は、特開平１１−３４３５９２号公報や特開２０００−１４３４２２号公報に記載されるＮｉ−Ｐ系合金を含む材料が好ましい。このような材料で抗菌部材を形成すると、封水Ｓ１中にＮｉ及びＰが溶出すると考えられ、封水Ｓ１中の菌の増殖が抑制され、トラップ部２０のヌメリ発生が抑えられる。むろん、封水中で抗菌性の物質を溶出する抗菌材料は、銀イオン、銅イオン、亜鉛イオンといった金属イオンを溶出する金属材料、無機材料、有機材料、等でもよい。
【００２１】
下側洗浄口２３から洗浄口蓋３０を取り外し、洗浄口蓋３０からパッキン３８を外すと、洗浄口蓋３０から抗菌部材３１を外すことができる。従って、抗菌部材が寿命となったとき、洗浄口蓋３０に取り付ける抗菌部材を交換するのが容易であり、交換後の抗菌部材でトラップ部２０のヌメリ発生を抑制する効果を持続させることができる。抗菌部材３１の両面から抗菌性の物質が溶出可能である場合、抗菌部材３１の片面が寿命となったときに抗菌部材３１を裏返して洗浄口蓋３０に取り付けると、トラップ部２０のヌメリ発生を抑制する効果を持続させることができる。
【００２２】
一方、図２に示す上側の洗浄口蓋４０の内面４０ａには、パッキン４８のみ取り付けられ、抗菌部が設けられていない。
なお、洗浄口蓋３０，４０を含む各配管１２，１４，１６は、熱可塑性樹脂といった樹脂材料、ステンレスといった金属材料、これらの組み合わせ、等、種々の材質とすることができ、樹脂材料や金属材料の成形品等を用いることができる。
【００２３】
（２）排水装置の作用、効果：
次に、本排水装置１の作用、効果を説明する。
トラップ部２０に形成された下側洗浄口２３に取り付けられた洗浄口蓋３０の内面３０ａにある抗菌部材３１は、封水Ｓ１に接することとなる。従って、抗菌部材３１から封水Ｓ１に抗菌性の物質が溶出し、トラップ部２０に付着するヌメリの発生が抑制される。
以上より、本排水装置１は、トラップ部２０の抗菌性を容易に維持することができる。
【００２４】
また、抗菌部材が寿命となっても、下側洗浄口２３から洗浄口蓋３０を外せば洗浄口蓋３０から使用済みの抗菌部材を取り出して新しい抗菌部材を洗浄口蓋３０に取り付けることができるので、抗菌部材の交換が容易である。この点でも、トラップ部２０の抗菌性を容易に維持する効果が得られる。
【００２５】
（３）変形例：
上述した排水装置１は、洗面化粧台の洗面ボウルの排水口、浴室の排水口、飲食店といった店の排水口、等に接続可能である。
ストレーナ収容部１２０の排出部は、底部１２０ｃに設けられてもよい。この場合の排出部は、底部１２０ｃから下方へ延出してもよく、トラップ前配管が鉛直に向いていてもよい。すなわち、ストレーナ収容部１２０の排出部やトラップ前配管の向きは、様々に設定可能である。
ストレーナ収容部１２０は、排水口蓋１２６や目皿１３０が無くてもよい。むろん、ストレーナを収容していない凹状部をストレーナ収容部の代わりに用いてもよいし、凹状部を無くして排水口に直接配管を接続してもよい。
洗浄口蓋３０，４０は、洗浄口に嵌め込んで取り付ける等、螺合以外の態様で洗浄口に取り付け可能な蓋でもよい。
また、排水装置にトラップ部を有する配管がある限り、上述した排水装置を構成する部材の一部が無いような排水装置にも、本発明を適用可能である。例えば、トラップ形成配管１４に上側通路２４ｂや洗浄口蓋４０が無くてもよい。
抗菌部材は、分割可能な複数の部材で構成されてもよい。
【００２６】
洗浄口蓋の内面に設けられる抗菌部は、洗浄口蓋から分離可能な部材とされる以外にも、洗浄口蓋から分離不能な部位とされてもよい。図２を用いて説明すると、洗浄口蓋３０の内面３０ａに抗菌性物質をめっきすると、洗浄口蓋の内面３０ａに抗菌部３１を設けることができる。
なお、抗菌性の物質を出す態様には、溶出以外の態様も含まれる。
【００２７】
図３（ａ）に示す排水装置のように、洗浄口蓋内面３０ａに接する基部３２ｂから主通路２１ａに向かって凸とされた凸部３２ａを有する抗菌部材（抗菌部）３２を洗浄口蓋内面３０ａに設けてもよい。この抗菌部材３２は、外周部が基部３２ｂとされ、内側が下側通路２１ｂ内へ膨出した凸部３２ａとされて、洗浄口蓋内面３０ａに対して着脱可能に取り付けられている。これにより、封水Ｓ１に接する抗菌部材の面積が増えるので、トラップ部２０の抗菌性を向上させることができる。
【００２８】
図３（ｂ）に示す排水装置のように、洗浄口蓋内面３０ａに接する基部３３ｂから主通路２１ａに向かって円環状に膨出した凸部３３ａを有する抗菌部材（抗菌部）３３を洗浄口蓋内面３０ａに対して着脱可能に取り付けてもよい。これにより、排水の主流を形成する主通路２１ａからなるべく離れた所で封水Ｓ１に接する抗菌部材の面積が増えるので、封水Ｓ１中の抗菌性物質が流出し難くなり、トラップ部２０の抗菌性をより長く維持させることができると考えられる。
【００２９】
図３（ｃ）に示す排水装置のように、洗浄口蓋内面３０ａに接する円盤状の基部３４ｂから主通路２１ａに向かって棒状に突出した凸部３４ａを有する抗菌部材（抗菌部）３４を洗浄口蓋内面３０ａに対して着脱可能に取り付けてもよい。これによっても、封水Ｓ１に接する抗菌部材の面積が増えるので、トラップ部２０の抗菌性を向上させることができる。凸部３４ａの先端部３４ａ１が下側通路２１ｂ内にあると、封水Ｓ１中の抗菌性物質が流出し難くなり、トラップ部２０の抗菌性をより長く維持させることができると考えられる。
また、図３（ｄ）に示す抗菌部材（抗菌部）３４Ａのように、棒状に突出した凸部３４ａを複数設けてもよい。これにより、封水Ｓ１に接する抗菌部材の面積がさらに増えるので、トラップ部２０の抗菌性をさらに向上させることができる。
なお、凸部３２ａ，３３ａ，３４ａが下側洗浄口２３から下側通路２１ｂ内に挿入されているので、図３（ａ）〜（ｃ）に示す排水装置は、下側洗浄口２３から外した洗浄口蓋３０を手等で持って抗菌部材３１を下側洗浄口２３から引き出すように構成されている。
【００３０】
図４に示す排水装置１のように、トラップ部２０外の配管１０に形成された上側洗浄口２６に取り付けられた洗浄口蓋４０の内面４０ａに抗菌部材４１を取り付けてもよい。この抗菌部材４１は、洗浄口蓋内面４０ａに接する円盤状の基部４１ｂから下方へ凸とされた可撓性の突出部４１ａを有している。突出部４１ａを可撓性とするためには、突出部４１ａをコイルばねや板ばね等で形成すればよい。洗浄口蓋内面４０ａに対して着脱可能とされる基部４１ｂは、洗浄口蓋４０内でパッキン４８により固定される。洗浄口蓋４０からパッキン４８を外すと、洗浄口蓋４０から基部４１ｂを出すことができる。突出部４１ａの先端側は、トラップ部２０に生じる封水Ｓ１に挿入されて抗菌性の物質を溶出する。従って、突出部４１ａの先端側のみ抗菌性物質をめっきして抗菌部材４１としてもよい。むろん、抗菌部材４１は、全体から抗菌性の物質が溶出可能とされてもよい。
【００３１】
抗菌部材４１を取り付けた洗浄口蓋４０を上側洗浄口２６に取り付ける際には、先に突出部４１ａの先端部を上側洗浄口２６からＵ字状部２１内に挿入してから洗浄口蓋４０を上側洗浄口２６に取り付けるとよい。これにより、抗菌部材４１から封水Ｓ１に抗菌性の物質が溶出してトラップ部２０へのヌメリの発生が抑制されるので、本排水装置１も、トラップ部２０の抗菌性を容易に維持することができる。
【００３２】
また、抗菌部材が寿命となっても、上側洗浄口２６から洗浄口蓋４０を外し、この洗浄口蓋４０を手等で持って抗菌部材４１を上側洗浄口２６から引き出すことができる。その後、洗浄口蓋４０から使用済みの抗菌部材を取り出して新しい抗菌部材を洗浄口蓋４０に取り付けることができるので、抗菌部材の交換が容易である。この点でも、トラップ部２０の抗菌性を容易に維持する効果が得られる。
【００３３】
なお、図４中、括弧で示したように、下側の洗浄口蓋３０の内面３０ａにも抗菌部材（抗菌部）３１を設けてもよい。両抗菌部材３１，４１から封水Ｓ１に抗菌性の物質が溶出することになるので、トラップ部２０の抗菌性を向上させることができる。
【００３４】
図５に示すように、省スペースタイプとされた排水装置１の洗浄口蓋内面３０ａにも抗菌部材（抗菌部）３５を設けることができる。本排水装置１のトラップ形成配管１４は、Ｕ字状部２１が斜めに形成され、排水の主通路２１ａの下部から水平方向へ若干延出して下側洗浄口２３に至る下側通路２１ｂが形成されている。下側洗浄口２３は、高圧洗浄機の噴射ノズルといった清掃具を挿入するための開口であり、排水装置使用時には洗浄口蓋３０が取り付けられる。この洗浄口蓋３０に対して着脱可能に取り付けられる抗菌部材３５は、洗浄口蓋内面３０ａに接する基部３５ｂから主通路２１ａに向かって凸とされた凸部３５ａを有している。凸部３５ａの先端面は、主通路２１ａに生じる排水の主流に沿った曲面とされた案内面３５ｃとされている。従って、抗菌部材３１は、側方へ延出した下側通路２１ｂを埋める埋設部材となり、案内面３５ｃで主通路２１ａ内の排水が円滑に流れるようにする。これにより、主通路２１ａ内を排水が流れるときにＵ字状部２１内で排水が淀まないようになり、洗浄口を有するトラップ部２０に付着するヌメリの発生を抑制する効果が得られる。一方、下側洗浄口２３から洗浄口蓋３０を外すと、この洗浄口蓋３０を手等で持って抗菌部材３５を下側洗浄口２３から引き出すことができ、噴射ノズルといった清掃具を下側洗浄口２３から入れて配管１０内を清掃することができる。
【００３５】
むろん、案内面３５ｃを有する埋設部材が抗菌性の物質を出さなくても、Ｕ字状部２１内で排水が淀まないようになるので、上述した効果が得られる。
従って、上述した実施形態により、本発明の排水装置（１）は、排水のトラップ部（２０）を有し排水口（１１２）からの排水を通す配管（１０）を備える排水装置（１）であって、
前記トラップ部（２０）は、排水の主流を形成する主通路（２１ａ）と、該主通路（２１ａ）から延出して洗浄口（２３）に至る分岐通路（２１ｂ）とを有し、
前記洗浄口（２３）に洗浄口蓋（３０）が取り付けられ、
前記主通路（２１ａ）に生じる排水の主流に沿った案内面（３５ｃ）を有し前記分岐通路（２１ｂ）を埋める埋設部材（３５）が前記洗浄口蓋（３０）の内面（３０ａ）に取り付けられている側面を有する。
【００３６】
すなわち、埋設部材（３５）を取り付けた洗浄口蓋（３０）が洗浄口（２３）に取り付けられると、主通路（２１ａ）内を排水が流れるときにトラップ部（２０）内で排水が淀まないようになる。従って、本排水装置は、洗浄口（２３）を有するトラップ部（２０）に付着するヌメリの発生を抑制することができる。
【００３７】
なお、従属請求項に係る構成要件を有しておらず独立請求項（実施形態に記載した側面を含む）に係る構成要件のみからなる排水装置でも、上述した基本的な作用、効果が得られる。
以上説明したように、本発明によると、種々の態様により、トラップ部の抗菌性を容易に維持することが可能な技術を提供することができる。
また、上述した実施形態及び変形例の中で開示した各構成を相互に置換したり組み合わせを変更したりして本発明を実施することも可能であり、公知技術並びに上述した実施形態及び変形例の中で開示した各構成を相互に置換したり組み合わせを変更したりして本発明を実施することも可能である。従って、本発明は、上述した実施形態や変形例に限られず、公知技術並びに上述した実施形態及び変形例の中で開示した各構成を相互に置換したり組み合わせを変更したりした構成等も含まれる。
【符号の説明】
【００３８】
１…排水装置、
１０…配管、１２…トラップ前配管、１４…トラップ形成配管、１６…トラップ後配管、
２０…トラップ部、
２１…Ｕ字状部、２１ａ…主通路、２１ｂ…下側通路、２３…下側洗浄口、
２４…逆Ｕ字状部、２４ａ…主通路、２４ｂ…上側通路、２６…上側洗浄口、
３０，４０…洗浄口蓋、３０ａ，４０ａ…内面、
３１，３２，３３，３４，３５，４１…抗菌部材（抗菌部）、
３２ａ，３３ａ，３４ａ，３５ａ…凸部、
３２ｂ，３３ｂ，３４ｂ，３５ｂ，４１ｂ…基部、
３５ｃ…案内面、
４１ａ…突出部、
１１０…シンク、１１２…排水口、
１２０…ストレーナ収容部、１２１…排出部、
Ｓ１…封水。
【図１】
2012046895.tif 000003
【図２】
2012046895.tif 000004
【図３】
2012046895.tif 000005
【図４】
2012046895.tif 000006
【図５】
2012046895.tif 000007